(57)【要約】【課題】低圧幹線に分岐線を接続する際、狭隘な簡易トラフなどでも複数の分岐接続作業が容易に出来る多分岐コネクターを提供する。【解決手段】低圧幹線Ｂと４本の分岐線Ｃとを接続する多分岐コネクターＡにおいて、多分岐コネクターＡは、断面略Ｕ字型の枠体１と枠体１に嵌め込んで低圧幹線Ｂと分岐線Ｃとを接続するカットスルー部と締付け部３から成り、低圧幹線Ｂと４本の分岐線Ｃの接続に際して、カットスルー部の各絶縁体に分岐線Ｃを挿入し、絶縁体を逆さにした一方の絶縁体を断面略Ｕ字型の枠体１内の底部に嵌め入れ、この状態で、低圧幹線Ｂを枠体１内に嵌め入れて、一方の絶縁体の上に載置し、他方の絶縁体を枠体１内に嵌め入れて、低圧幹線Ｂの上に載置し、各絶縁体のカットスルー部に備えた夫々のカットスルー刃１４を低圧幹線Ｂに差し込んで低圧幹線Ｂの芯線に接触させた。【選択図】図１
2004303537.tif 000002
【特許請求の範囲】
【請求項１】
低圧幹線と２本の分岐線とを接続する多分岐コネクターにおいて、当該多分岐コネクターは、断面略Ｕ字型の枠体と当該枠体に嵌め込んで低圧幹線と分岐線とを接続するカットスルー部と締付け部から成り、
当該カットスルー部は、一対の絶縁体から成り、当該一対の各絶縁体は、夫々内部を中空部とし下面を開口部とした略直方体形状に設け、当該中空部内にカットスルー刃を設け、当該カットスルー刃を上記開口部内から突出自在に設け、当該絶縁体の上面の略中央に、上記中空部に繋がった貫通孔を設け、当該貫通孔に絶縁棒を挿通して設け、当該絶縁体の一側面に上記中空部に繋がった挿入孔を有する略円筒状の分岐線挿入部を設けて成り、
上記締付け部は、締付けボルト及び略中央に貫通ねじ孔を穿ったねじ板から成り、
上記低圧幹線と２本の分岐線の接続に際して、
上記カットスルー部の上記各絶縁体の分岐線挿入部に、先端に端子部を設けた分岐線を挿入して上記中空部内において各端子部を上記各カットスルー刃の一部に固着し、
上記絶縁体を逆さにして開口部を上面に位置させ、上記分岐線と接触した当該カットスルー刃の刃が上記開口部から突出した状態の一方の絶縁体を上記断面略Ｕ字型の枠体内の底部に嵌め入れ、上記カットスルー刃及びその下の上記分岐線の端子部を上記貫通孔に挿通した絶縁棒で支持し、この状態で、上記低圧幹線を上記断面略Ｕ字型の枠体内に嵌め入れて、上記一方の絶縁体のカットスルー刃の上に載置し、
上記絶縁体の開口部を下面に位置させ、上記分岐線と接触した当該カットスルー刃の刃が上記開口部から突出した状態の他方の絶縁体を上記断面略Ｕ字型の枠体内に嵌め入れて、上記低圧幹線の上に載置し、
上記締付けボルトを貫通ねじ孔に螺着した上記ねじ板を上記枠体上部の両側の間に渡して係止し、当該締付けボルトの先端面で上記他方の絶縁体の上面の貫通孔に挿通した絶縁棒の上面を押圧し、さらに締付けボルトを締付けて、上記絶縁棒により上記分岐線の端子部及びカットスルー刃を押圧して当該カットスルー刃を上記低圧幹線に差し込んで低圧幹線の芯線に接触させ、これと同時に当該低圧幹線を押圧して上記一方の絶縁体のカットスルー刃を低圧幹線の芯線に差し込んで接触させたことを特徴とする、多分岐コネクター。
【請求項２】
上記絶縁体の分岐線挿入部に挿入する各分岐線の先端部の被覆を一定長剥ぎ取り、当該箇所の芯線に、端子を被せて取り付け、
低圧幹線と２本の分岐線の接続に際して、
当該端子を取り付けた各分岐線の先端部を上記絶縁体の分岐線挿入部から中空部内まで嵌め入れ、当該箇所において、当該各分岐線の端子の一部と断面略コの字状に設けた上記カットスルー刃の背面部とを固着して、これらを電気的に接続したことを特徴とする、上記請求項１に記載の多分岐コネクター。
【請求項３】
低圧幹線と４本の分岐線とを接続する多分岐コネクターにおいて、当該多分岐コネクターは、断面略Ｕ字型の枠体と当該枠体に嵌め込んで低圧幹線と分岐線とを接続するカットスルー部と締付け部から成り、
当該カットスルー部は、一対の絶縁体から成り、当該一対の各絶縁体は、夫々内部を中空部とし下面を開口部とした略直方体形状に設け、当該中空部内にカットスルー刃を設け、当該カットスルー刃を上記開口部内から突出自在に設け、当該絶縁体の上面の略中央に、上記中空部に繋がった貫通孔を設け、当該貫通孔に絶縁棒を挿通して設け、当該絶縁体の一方の相対向する両側面に上記中空部に繋がった挿入孔を有する略円筒状の分岐線挿入部を夫々設けて成り、
上記締付け部は、締付けボルト及び略中央に貫通ねじ孔を穿ったねじ板から成り、
低圧幹線と４本の分岐線の接続に際して、
上記カットスルー部の上記各絶縁体の二つの相対向する位置の分岐線挿入部に、先端に端子部を設けた二つの分岐線を夫々挿入して上記中空部内において互いの端子部を突き合わせて接続し、
上記絶縁体を逆さにして開口部を上面に位置させ、当該中空部内の上記分岐線を接続した箇所に上記カットスルー刃を載置して上記各分岐線と接触した上記カットスルー刃が上記開口部から突出した状態の一方の絶縁体を上記断面略Ｕ字型の枠体内の底部に嵌め入れ、上記カットスルー刃及びその下の上記各分岐線の端子部を接続した箇所を上記貫通孔に挿通した絶縁棒で支持し、この状態で、上記低圧幹線を上記断面略Ｕ字型の枠体内に嵌め入れて、上記一方の絶縁体のカットスルー刃の上に載置し、
上記絶縁体の開口部を下面に位置させ、上記中空部内の上記各分岐線の端子部を接続した箇所に上記カットスルー刃を嵌め入れて上記各分岐線と接触した当該カットスルー刃が上記開口部から突出した状態の他方の絶縁体を上記断面略Ｕ字型の枠体内に嵌め入れて、上記低圧幹線の上に載置し、
上記締付けボルトを貫通ねじ孔に螺着した上記ねじ板を上記枠体上部の両側の間に渡して係止し、当該締付けボルトの先端面で上記他方の絶縁体の上面の貫通孔に挿通した絶縁棒の上面を押圧し、さらに締付けボルトを締付けて、上記絶縁棒により上記分岐線の端子部及びカットスルー刃を押圧して当該カットスルー刃を上記低圧幹線に差し込んで低圧幹線の芯線に接触させ、これと同時に当該低圧幹線を押圧して上記一方の絶縁体のカットスルー刃を低圧幹線の芯線に差し込んで接触させたことを特徴とする、多分岐コネクター。
【請求項４】
上記絶縁体の各分岐線挿入部に挿入する各分岐線の先端部の被覆を一定長剥ぎ取り、当該箇所に、雄ねじ端子又は雌ねじ端子のどちらかを被せて取り付け、
低圧幹線と４本の分岐線の接続に際して、
当該雄ねじ端子又は雌ねじ端子を取り付けた各分岐線の先端部を上記各絶縁体の分岐線挿入部から相対向して中空部内まで夫々嵌め入れ、当該箇所において、夫々の二つの分岐線の雄ねじ端子と雌ねじ端子を嵌合して、これらを電気的に接続したことを特徴とする、上記請求項３に記載の多分岐コネクター。
【請求項５】
低圧幹線と複数の分岐線とを接続する多分岐コネクターにおいて、上記一対の絶縁体の各中空部内の夫々の断面略コの字状に設けたカットスルー刃の背面に、対向したかたちで板ばねを夫々設け、
上記断面略Ｕ字型の枠体内において、低圧幹線を各カットスルー刃で差し込んだ際、各絶縁体の絶縁棒で上記各板ばねを押圧し、これらの各板ばねが各カットスルー刃を背面から押圧して、各カットスルー刃の押圧の減退を生じ難くしたことを特徴とする、上記請求項１乃至４の何れかに記載の多分岐コネクター。
【発明の詳細な説明】
【０００１】
【発明の属する技術分野】
この発明は、電力供給の為地中に埋設されている低圧幹線と、この低圧幹線から分岐して低圧需要家に電力供給を行う分岐線とを接続する多分岐コネクターに関するものである。
【０００２】
【従来の技術】
従来、電力供給の低負荷密度の地域においても、電線類を地中に埋設する作業が行われているが、コスト低減の為、上記低負荷密度地域への地中低圧供給は、従来の高負荷密度地域への供給方式と異なり、変圧器から直接低圧幹線を管路で引き回し、低圧需要家へは個々に分岐コネクターで接続して引き込む方法が採用されている。
【０００３】
この方法において、使用される分岐コネクターとしては、図１１及び図１２に示す防水型の分岐コネクターＧが使用されている。この分岐コネクターＧは、締め付けボルト３８、ねじ板３９等から成る締付け部と、ゴムカバー３１、絶縁丸棒３２、押さえ金具３３、板ばね３４、カットスルー刃３５等から成るカットスルー部４１と、このカットスルー部４１を嵌め入れる断面Ｕ字型の枠体４０から成る。
【０００４】
この分岐コネクターＧによって、低圧幹線Ｂと分岐線Ｃを接続するには、上記枠体４０の底部に低圧幹線Ｂを嵌め入れ、この上から、予め分岐線Ｃを装着したカットスルー部４１を、下面の開口部にカットスルー刃３５を、その刃を下方に向けて低圧幹線Ｂ上に嵌め入れ、その後ねじ板３９を枠体４０の上部に嵌め、締付けボルト３８を締付けて、カットスルー刃３５を上方から押圧して低圧幹線Ｂの電線樹脂被覆を破って芯線にカットスルー刃３５を接触させ、分岐接続している。
【発明が解決しようとする課題】
【０００５】
しかしながら、これらの接続作業が煩雑で狭隘な地中埋設分岐枡や簡易トラフなどでは、容易な作業ではなかった。またこの分岐コネクターＧでは、低圧幹線Ｂの電線樹脂被覆において常時カットスルー刃３５の接点押圧を受けているので、電線樹脂被覆の経年劣化により当該接点押圧に緩みが生じる恐れがあることから細物電線の分岐に限定して使用されていた。さらにこの分岐コネクターＧでは、分岐線Ｃの引き出し数が一つしかなく、同一箇所で複数の分岐接続は出来ず、分岐線Ｃの引き出しの増設は容易には行えなかった。
【０００６】
そこでこの発明は、低圧幹線に分岐線を接続する際、狭隘な簡易トラフなどでも複数の分岐接続作業が容易に出来る多分岐コネクターを提供して上記課題を解決するものである。
【０００７】
【課題を解決するための手段】
請求項１の発明は、低圧幹線と２本の分岐線とを接続する多分岐コネクターにおいて、当該多分岐コネクターは、断面略Ｕ字型の枠体と当該枠体に嵌め込んで低圧幹線と分岐線とを接続するカットスルー部と締付け部から成り、当該カットスルー部は、一対の絶縁体から成り、当該一対の各絶縁体は、夫々内部を中空部とし下面を開口部とした略直方体形状に設け、当該中空部内にカットスルー刃を設け、当該カットスルー刃を上記開口部内から突出自在に設け、当該絶縁体の上面の略中央に、上記中空部に繋がった貫通孔を設け、当該貫通孔に絶縁棒を挿通して設け、当該絶縁体の一側面に上記中空部に繋がった挿入孔を有する略円筒状の分岐線挿入部を設けて成り、上記締付け部は、締付けボルト及び略中央に貫通ねじ孔を穿ったねじ板から成る。
【０００８】
上記低圧幹線と２本の分岐線の接続に際して、上記カットスルー部の上記各絶縁体の分岐線挿入部に、先端に端子部を設けた分岐線を挿入して上記中空部内において各端子部を上記各カットスルー刃の一部に固着し、上記絶縁体を逆さにして開口部を上面に位置させ、上記分岐線と接触した当該カットスルー刃の刃が上記開口部から突出した状態の一方の絶縁体を上記断面略Ｕ字型の枠体内の底部に嵌め入れ、上記カットスルー刃及びその下の上記分岐線の端子部を上記貫通孔に挿通した絶縁棒で支持し、この状態で、上記低圧幹線を上記断面略Ｕ字型の枠体内に嵌め入れて、上記一方の絶縁体のカットスルー刃の上に載置する。
【０００９】
また上記絶縁体の開口部を下面に位置させ、上記分岐線と接触した当該カットスルー刃の刃が上記開口部から突出した状態の他方の絶縁体を上記断面略Ｕ字型の枠体内に嵌め入れて、上記低圧幹線の上に載置し、上記締付けボルトを貫通ねじ孔に螺着した上記ねじ板を上記枠体上部の両側の間に渡して係止し、当該締付けボルトの先端面で上記他方の絶縁体の上面の貫通孔に挿通した絶縁棒の上面を押圧し、さらに締付けボルトを締付けて、上記絶縁棒により上記分岐線の端子部及びカットスルー刃を押圧して当該カットスルー刃を上記低圧幹線に差し込んで低圧幹線の芯線に接触させ、これと同時に当該低圧幹線を押圧して上記一方の絶縁体のカットスルー刃を低圧幹線の芯線に差し込んで接触させた多分岐コネクターとした。
【００１０】
請求項２の発明は、上記絶縁体の分岐線挿入部に挿入する各分岐線の先端部の被覆を一定長剥ぎ取り、当該箇所の芯線に、端子を被せて取り付け、低圧幹線と２本の分岐線の接続に際して、当該端子を取り付けた各分岐線の先端部を上記絶縁体の分岐線挿入部から中空部内まで嵌め入れ、当該箇所において、当該各分岐線の端子の一部と断面略コの字状に設けた上記カットスルー刃の背面部とを固着して、これらを電気的に接続した上記請求項１に記載の多分岐コネクターとした。
【００１１】
請求項３の発明は、低圧幹線と４本の分岐線とを接続する多分岐コネクターにおいて、当該多分岐コネクターは、断面略Ｕ字型の枠体と当該枠体に嵌め込んで低圧幹線と分岐線とを接続するカットスルー部と締付け部から成り、当該カットスルー部は、一対の絶縁体から成り、当該一対の各絶縁体は、夫々内部を中空部とし下面を開口部とした略直方体形状に設け、当該中空部内にカットスルー刃を設け、当該カットスルー刃を上記開口部内から突出自在に設け、当該絶縁体の上面の略中央に、上記中空部に繋がった貫通孔を設け、当該貫通孔に絶縁棒を挿通して設け、当該絶縁体の一方の相対向する両側面に上記中空部に繋がった挿入孔を有する略円筒状の分岐線挿入部を夫々設けて成り、上記締付け部は、締付けボルト及び略中央に貫通ねじ孔を穿ったねじ板から成る。
【００１２】
低圧幹線と４本の分岐線の接続に際して、上記カットスルー部の上記各絶縁体の二つの相対向する位置の分岐線挿入部に、先端に端子部を設けた二つの分岐線を夫々挿入して上記中空部内において互いの端子部を突き合わせて接続し、上記絶縁体を逆さにして開口部を上面に位置させ、当該中空部内の上記分岐線を接続した箇所に上記カットスルー刃を載置して上記各分岐線と接触した上記カットスルー刃が上記開口部から突出した状態の一方の絶縁体を上記断面略Ｕ字型の枠体内の底部に嵌め入れ、上記カットスルー刃及びその下の上記各分岐線の端子部を接続した箇所を上記貫通孔に挿通した絶縁棒で支持し、この状態で、上記低圧幹線を上記断面略Ｕ字型の枠体内に嵌め入れて、上記一方の絶縁体のカットスルー刃の上に載置する。
【００１３】
上記絶縁体の開口部を下面に位置させ、上記中空部内の上記各分岐線の端子部を接続した箇所に上記カットスルー刃を嵌め入れて上記各分岐線と接触した当該カットスルー刃が上記開口部から突出した状態の他方の絶縁体を上記断面略Ｕ字型の枠体内に嵌め入れて、上記低圧幹線の上に載置し、上記締付けボルトを貫通ねじ孔に螺着した上記ねじ板を上記枠体上部の両側の間に渡して係止し、当該締付けボルトの先端面で上記他方の絶縁体の上面の貫通孔に挿通した絶縁棒の上面を押圧し、さらに締付けボルトを締付けて、上記絶縁棒により上記分岐線の端子部及びカットスルー刃を押圧して当該カットスルー刃を上記低圧幹線に差し込んで低圧幹線の芯線に接触させ、これと同時に当該低圧幹線を押圧して上記一方の絶縁体のカットスルー刃を低圧幹線の芯線に差し込んで接触させた多分岐コネクターとした。
【００１４】
請求項４の発明は、上記絶縁体の各分岐線挿入部に挿入する各分岐線の先端部の被覆を一定長剥ぎ取り、当該箇所に、雄ねじ端子又は雌ねじ端子のどちらかを被せて取り付け、低圧幹線と４本の分岐線の接続に際して、当該雄ねじ端子又は雌ねじ端子を取り付けた各分岐線の先端部を上記各絶縁体の分岐線挿入部から相対向して中空部内まで夫々嵌め入れ、当該箇所において、夫々の二つの分岐線の雄ねじ端子と雌ねじ端子を嵌合して、これらを電気的に接続した上記請求項３に記載の多分岐コネクターとした。
【００１５】
請求項５の発明は、低圧幹線と複数の分岐線とを接続する多分岐コネクターにおいて、上記一対の絶縁体の各中空部内の夫々の断面略コの字状に設けたカットスルー刃の背面に、対向したかたちで板ばねを夫々設け、上記断面略Ｕ字型の枠体内において、低圧幹線を各カットスルー刃で差し込んだ際、各絶縁体の絶縁棒で上記各板ばねを押圧し、これらの各板ばねが各カットスルー刃を背面から押圧して、各カットスルー刃の押圧の減退を生じ難くした上記請求項１乃至４の何れかに記載の多分岐コネクターとした。
【００１６】
【発明の実施の形態】
以下、この発明の実施の形態例を図に基づいて説明する。
図１乃至図６は、この発明の実施の形態例を示す。この発明の多分岐コネクターには、４分岐型と２分岐型とあり、ここでは４分岐型の多分岐コネクター（以下「分岐コネクター」という）Ａを使って説明する。この分岐コネクターＡは、図２及び図３に示すように、帯状の板体を断面Ｕ字型に折り曲げて形成した枠体１と、図２に示すように、上記枠体１に嵌め込んで分岐線Ｃと接続するカットスルー部２、及び締付け部３から成る。
【００１７】
上記枠体１は、図３に示すように、両側板の上部の相対向する位置に貫通係止孔４を設けている。上記カットスルー部２は、一対の絶縁体５から成る。この一対の絶縁体５は、図４に示すように、ゴム製の直方体形状に設けた絶縁カバー６から成り、この絶縁カバー６の内部に小さな直方体形状の中空部６ａを設け、その下面を湾曲して凹ませて形成した開口部６ｂを設けている。
【００１８】
この絶縁カバー６の上面の中央に上記中空部６ａに繋がった貫通孔６ｃを設け、この絶縁カバー６の一方の相対向する両側面に、上記中空部６ａに繋がった挿入孔（図示省略）を有する円筒状の分岐線挿入部１０を夫々突設している。また上記中空部６ａ内には、この中空部６ａの形状と同形で、底の無い略箱形のガイド金具１１を設けており、このガイド金具１１の上面の中央には貫通孔１１ａを設け、相対向する一方の両側面には、上記絶縁カバー６の両分岐線挿入部１０を通じて挿入された上記分岐線Ｃを夫々挿入する貫通孔１１ｂを設けている。このガイド金具１１内に、接点ばね板１２、座金１３、断面コの字状のカットスルー刃１４を順に嵌め入れられている。低圧幹線Ｂと分岐線Ｃの接続の際、後述する分岐線Ｃの端子部は、座金１３と断面コの字状のカットスルー刃１４の間に挿入され、この時、カットスルー刃１４は、開口部６ｂから突出するように設けられている。
【００１９】
またこの絶縁カバー６の外側には、直方体形状でこの絶縁体より一回り大きい補強体１５を被せており、この補強体１５の上面の中央には、貫通孔１５ａを設け、下面は開口面とし、相対向する一方の両側面には、上記絶縁カバー６の二つの分岐線挿入部１０を挿通するための開口部１５ｂを設けている。この絶縁カバー６の補強体１５を被せた上面には、中央に貫通孔１６ａを穿ったカバーばね板１６を載置し、この貫通孔１６ａに絶縁丸棒１７を挿通して設けている。この絶縁丸棒１７の下端は、補強体１５の貫通孔１５ａ、絶縁カバー６の貫通孔６ｃ及びガイド金具１１の貫通孔１１ａを通って、接点ばね板１２と当接し、上端は、後述する締付けボルト７の凹部７ｂ内に嵌合した状態となっている。但し後述する枠体１の底部に逆さに入れた絶縁体５の絶縁丸棒１７の一端は、枠体１の底面に当接している。
【００２０】
さらにこの絶縁カバー６の二つの分岐線挿入部１０の外側には、図５に示すように、収縮チューブ１８を夫々被せるようになっている。
また締付け部３は、図４に示すように、突出したねじ部７ａの先端面に凹部７ｂ（図１参照）を設けた締付けボルト７、ばね座金８、中央に貫通ねじ孔９ａを穿ち、一方の相対向する端縁を夫々係止縁９ｂとして設けたねじ板９から成る。
【００２１】
次にこの分岐コネクターＡを使って、分岐枡Ｄ（図７参照）において、１本の低圧幹線Ｂと４本の分岐線Ｃを接続する手順を説明する。
分岐枡Ｄ（図７参照）内において、撚り線となっている低圧幹線Ｂの分岐接続し易い位置にカットスルー部２の接続点を決め、そこに撚り戻し治具（図示省略）を差し込み、この接続相電線を他の相の接続電線から離す。そして、低圧幹線Ｂにおける分岐線Ｃとの接続箇所の電線被覆を清掃する。
【００２２】
２本ずつ２組の分岐線Ｃの先端部の被覆を夫々、一定長剥ぎ取り、これらの箇所に、図５に示すように、雄ねじ端子１９又は雌ねじ端子２０のどちらかを被せて圧縮して取り付ける。これらの雄ねじ端子１９又は雌ねじ端子２０の夫々異なる端子を取り付けた２本の分岐線Ｃを各絶縁カバー６の二つの分岐線挿入部１０及び各ガイド金具１１の貫通孔１１ｂを通して夫々挿入し、夫々の絶縁カバー６の中空部６ａのガイド金具１１内において、接点ばね板１２及び座金１３とカットスルー刃１４との間で、雄ねじ端子１９をばね座金１９ａを介して雌ねじ端子２０に嵌合して螺着する。
【００２３】
そして、２本の分岐線Ｃを取り付けた一方の絶縁体５を逆さにして、上記開口部６ｂを上面に位置し、中空部６ａ内の雄ねじ端子１９と雌ねじ端子２０を接続した箇所の上にカットスルー刃１４を、その刃を上方に向けて設置し、上記各分岐線Ｃの端子部と接触したこのカットスルー刃１４の刃が上記開口部６ｂから突出した状態で、上記断面Ｕ字型の枠体１内の底部に嵌め入れて、枠体１内の底部において、上記各分岐線Ｃの接続した端子部を介して上記カットスルー刃１４を、ガイド金具１１、絶縁カバー６、補強体１５、及びカバーばね板１６の夫々の貫通孔１１ａ、６ｃ、１５ａ、及び１６ａを夫々挿通した絶縁丸棒１７で支持する（図１参照）。この際、絶縁丸棒１７の上端は、接点ばね板１２と当接し、下端は、枠体１の底面に当接する。
【００２４】
この後、上記低圧幹線Ｂを上記断面Ｕ字型の枠体１内に嵌め入れて、先に嵌め入れた上記一方の絶縁体５のカットスルー刃１４上に載置する。そして、他方の絶縁体５を、その開口部６ｂを下面に位置させて中空部６ａ内の雄ねじ端子と雌ねじ端子を接続した箇所にカットスルー刃１４を、その刃を下方に向けて設置し、上記各分岐線Ｃと接触したこのカットスルー刃１４の刃が上記開口部６ｂから突出した状態で、上記断面Ｕ字型の枠体１内に嵌め入れて、上記低圧幹線Ｂ上に載置する。
【００２５】
この後、あらかじめ上記ばね座金８を通した締付けボルト７を螺着したねじ板９を、上記枠体１上部の両側の間に渡し、このねじ板９の係止縁９ｂを枠体１の貫通係止孔４に係止して、このねじ板９を枠体１に固定する。そして、締付けボルト７のねじ部７ａの先端面の凹部７ｂを、上記他方の絶縁体５の上面の貫通孔１１ａ、６ｃ、１５ａ、及び１６ａに挿通した絶縁丸棒１７の頭部の位置と合わせてこの頭部に被せる（図１参照）。そして枠体１乃至は枠体１に係止したねじ板９を適宜のものに固定した状態（図示省略）で、締付けボルト７を締付けて、絶縁丸棒１７の頭部を押圧し、絶縁丸棒１７を下方向に移動させる。
【００２６】
これにより、絶縁丸棒１７が上記他方の絶縁体５のカットスルー刃１４を、接点ばね板１２、座金１３、及び上記分岐線Ｃの各端子部の接続した箇所を介して押圧する。この押圧により、カットスルー刃１４は、低圧幹線Ｂ側に移動してこの低圧幹線Ｂに差し込まれ、低圧幹線Ｂと上記分岐線Ｃとは電気的に接触する。さらに締付けボルト７を、ばね座金８が潰れるまで締付けると、分岐線Ｃ、カットスルー刃１４、低圧幹線Ｂの順で押圧し、この低圧幹線Ｂを上記一方の絶縁体５のカットスルー刃１４に食い込ませて低圧幹線Ｂの芯線にその先端が挿入されて低圧幹線Ｂは、各分岐線Ｃと電気的に接触させる。この後、撚り戻し治具を取り外し、他の相も同様の手順にて分岐接続を行う。
【００２７】
この様にして、図１に示すように、低圧幹線Ｂは、四本の分岐線Ｃと電気的に接続される。分岐枡Ｄ内において、低圧幹線Ｂから４分岐接続した様子を図７及び図８に示す。なお図７において、Ｆは、各分岐線Ｃに設けたヒューズを示す。
【００２８】
また図９及び図１０に示すのは、他の実施の形態例の２分岐型の多分岐コネクターＥ（以下「分岐コネクターＥ」という）を示す。この分岐コネクターＥにおいては、上記実施の形態例の分岐コネクターＡと異なる構成は、４分岐型か２分岐型かの相違であって、他の構成は、分岐コネクターＡと同様である（同じ構成の部位については、同じ番号を使用した）。
【００２９】
具体的に説明すると、分岐コネクターＡでは、カットスルー部２の絶縁カバー６に設ける分岐線挿入部１０として、相対向する一方の両側面に二つ設けているが、この分岐コネクターＥは、一側にしか設けていない、またこの分岐コネクターＥにおいて、接続する分岐線Ｃに被せる端子としては、雌ねじ端子２０を使用し、この雌ねじ端子２０は、予め分岐コネクターＥの絶縁体の内部の中空部内にあるカットスルー刃１４の背面部にねじ１４ａにより螺着している。低圧幹線Ｂと分岐線Ｃの接続における他の手順については、各分岐線Ｃにおける雄ねじ端子１９と雌ねじ端子２０の螺着箇所を除き、上記分岐コネクターＡにおける場合と同様である。
【００３０】
この様な結果、これらの実施の形態例の分岐コネクターＡ、Ｅを使用した場合、以下の効果を奏するものである。
一つの分岐コネクターＡから同時に最大４分岐の引き出しが容易にでき、一対のカットスルー刃１４で低圧幹線Ｂの芯線に対向して差し込み、各カットスルー刃１４を背面から絶縁丸棒１７で接点ばね板１２を介して押圧しているので、一対の絶縁体５のカットスルー刃１４の押し圧力の減退が生じ難い。低圧幹線Ｂから同時に複数の分岐線Ｃを引出すとき、低圧幹線Ｂの切断、皮むき作業が不要であり、そのため複数の分岐線Ｃの接続作業を活線状態で同時に行える。
【００３１】
また複数の分岐線Ｃの接続時の空間占有幅が狭くて済むので、現行の分岐枡Ｄ及び簡易トラフなどの狭隘な作業空間で、複数の分岐線Ｃの接続作業を同時に行え、さらに電力の複数分岐と通信線分岐の同一箱内収納が可能となる。また分岐線Ｃの分岐数、サイズ及び引き出し方向を現場で設定することができ、各相の分岐位置が分岐枡Ｄ又は簡易トラフ内に分散できるので一箇所に輻輳せず、ヒューズを相別、行き先順序別にまとめることができる。
【００３２】
さらにカットスルー部２に予め工場で分岐線Ｃ又はヒューズＦ（図７参照）を接続しておけば分岐コネクターＡ、Ｅ本体の防水処理の信頼性が上がる。分岐線Ｃの芯線から水の浸入があっても、絶縁カバー６及びこの絶縁カバー６の中空部６ａ内の端子接続部の外側で遮断されるので、カットスルー刃１４と低圧幹線Ｂとの接点及び低圧幹線Ｂの芯線まで浸入することがない。
【００３３】
カットスルー刃１４の部分に不乾性シール剤を入れることとカットスルー刃１４を押圧する接点ばね板１２とは別に絶縁カバー６に常時圧力を加えるカバーばね板１６を設けることにより、低圧幹線Ｂの被覆との接合部の長期防水信頼性が上がる。低圧幹線Ｂ電線のサイズ別の芯線外径及び被覆外径寸法でカットスルー刃１４の締め込み寸法を設定しており、締付けボルト７を完全に締め込むことにより、確実な通電性能と防水性能を確保できるので、締付けボルト７のトルク管理が不要となる。
【００３４】
上記実施の形態例において、絶縁体５において、絶縁カバー６、ガイド金具１１、接点ばね板１２、座金１３、補強体１５、カバーばね板１６、収縮チューブ１８などを設けているが、これらの部材は、この発明の必須要件ではない。また低圧幹線Ｂから分岐線Ｃを４分岐接続又は２分岐接続する際に、全ての分岐箇所に分岐線Ｃを設けているが、分岐接続に当っては、必ずしも全ての分岐線Ｃを使用する必要はなく、必要な箇所のみの使用で良い。この時使用しない分岐線Ｃには、防護カバーを被せ、防水処理を施しておくとよい。
【００３５】
さらに分岐コネクターＥにおいて、分岐線の端子部とカットスルー刃１４とを固着するのに、ねじ１４ａを使用しているが、分岐線の端子部とカットスルー刃１４とを固着する方法は、これに限定するものではない。また絶縁体５の中空部６ａ内において、接続した分岐線Ｃの雄ねじ端子１９と雌ねじ端子２０及びカットスルー刃１４を押圧又は支持している絶縁棒として、絶縁丸棒１７を使用しているが絶縁棒の形状は、丸棒に限定するものではない。
【００３６】
【発明の効果】
請求項１乃至５の各発明によれば、一つの分岐コネクターから同時に最大４分岐の引き出しが容易にできる。また複数の分岐線の接続時の空間占有幅が狭くて済むので、現行の分岐枡及び簡易トラフなどの狭隘な作業空間で、複数の分岐線の接続作業を同時に行え、さらに電力の複数分岐と通信線分岐の同一箱内収納が可能となる。また分岐線の分岐数、サイズ及び引き出し方向を現場で設定することができ、各相の分岐位置が分岐枡又は簡易トラフ内に分散できるので一箇所に輻輳せず、ヒューズを相別、行き先順序別にまとめることができる。
【００３７】
さら請求項２の発明によれば、絶縁体の各分岐線挿入部に挿入する各分岐線の先端部に端子を設け、この端子を各絶縁体の中空部内で、カットスルー刃の背面部とを固着して電気的に接続しているので、また請求項４の発明によれば、各分岐線の先端部に雄ねじ端子又は雌ねじ端子のどちらかを設け、これらを各絶縁体の中空部内で、螺着して電気的に接続しているので、これらの接続が確実かつ簡単にでき、電気的な接続の信頼も極めて高いものである。
【００３８】
また請求項５の発明によれば、上記断面略Ｕ字型の枠体内において、低圧幹線を各カットスルー刃で差し込んだ際、一対のカットスルー刃で低圧幹線の芯線に対向して差し込み、これらの一対のカットスルー刃を背面で対向したかたちに設けた夫々の絶縁丸棒で板ばねを介して押圧しているので、これらのカットスルー刃の押し圧力の減退が生じ難い。よって、長期の使用における劣化の心配が無く、細物電線に限らず他の電線においても安心して使用できる。
【図面の簡単な説明】
【図１】この発明の実施の形態例の４分岐型の分岐コネクターで４分岐接続した状態を示す一部断面正面図である。
【図２】この発明の実施の形態例の４分岐型の分岐コネクターで４分岐接続した状態を示す一部断面側面図である。
【図３】この発明の実施の形態例の分岐コネクターの断面Ｕ字型の枠体の斜視図である。
【図４】この発明の実施の形態例の分岐コネクターのカットスルー部及び締付け部を夫々分解した状態の斜視図である。
【図５】この発明の実施の形態例の分岐コネクターにおいて、２本の分岐線に夫々雄ねじ端子又は雌ねじ端子を取付けて、これらを絶縁体内で螺着して接続する様子を示す分解斜視図である。
【図６】この発明の実施の形態例の分岐コネクターの底部に、２本の分岐線を固着した絶縁体を嵌め入れた状態の斜視図である。
【図７】この発明の実施の形態例の分岐コネクターを使用して分岐枡内において、低圧幹線を４箇所で４分岐接続した状態の正面図である。
【図８】上記図７におけるＸ−Ｘ線の端面図である。
【図９】この発明の他の実施の形態例の２分岐型の分岐コネクターで２分岐接続した状態を示す一部断面正面図である。
【図１０】この発明の他の実施の形態例の２分岐型の分岐コネクターで２分岐接続した状態を示す一部断面側面図である。
【図１１】従来の分岐型の分岐コネクターで分岐接続した状態を示す一部断面正面図である。
【図１２】従来の分岐型の分岐コネクターで分岐接続した状態を示す一部断面側面図である。
【符号の説明】
Ａ  （４分岐型の）分岐コネクター    Ｂ  低圧幹線
Ｃ  分岐線                          Ｅ  （２分岐型の）分岐コネクター
１  断面Ｕ字型の枠体                ２  カットスルー部
３  締付け部                        ５  絶縁体
７  締付けボルト                    ９  ねじ板
１０  中空部                        １１  分岐線挿入部
１２  接点ばね板                    １４  カットスルー刃
１７  絶縁丸棒                      １９  雄ねじ端子
２０  雌ねじ端子
【図１】
2004303537.tif 000003
【図２】
2004303537.tif 000004
【図３】
2004303537.tif 000005
【図４】
2004303537.tif 000006
【図５】
2004303537.tif 000007
【図６】
2004303537.tif 000008
【図７】
2004303537.tif 000009
【図８】
2004303537.tif 000010
【図９】
2004303537.tif 000011
【図１０】
2004303537.tif 000012
【図１１】
2004303537.tif 000013
【図１２】
2004303537.tif 000014